(57)【要約】【課題】パチンコ等の遊技で使用したビジターカード又はメンバーカードの残額を自動的に払出すことのできる自動精算機を提供する。【解決手段】自動精算機の本体に挿入されたビジターカードに記録されているカードデータを読取る読取手段と、前記自動精算機の本体から金銭を払出す金銭処理ユニットと、読取られたカードデータ中から金額に係るデータを抽出する抽出手段と、抽出された金額に係るデータに基づいて前記金銭処理ユニットから所定の金額の金銭を払出す金銭処理ユニット制御手段と、払出された金銭が前記ビジターカードに係るときにそのビジターカードを前記自動精算機の本体に回収するカード処理制御手段とからなる。【選択図】      図４
2005319085.tif 000002
【特許請求の範囲】
【請求項１】
自動精算機の本体に挿入されたビジターカードに記録されているカードデータ、又はその自動精算機の本体に挿入されたメンバーカードに記録されているカードデータを読取る読取手段と、
前記自動精算機の本体から金銭を払出す金銭処理ユニットと、
読取られたカードデータ中から金額に係るデータを抽出する抽出手段と、
抽出された金額に係るデータに基づいて前記金銭処理ユニットから所定の金額の金銭を払出す金銭処理ユニット制御手段と、
払出された金銭が前記ビジターカードに係るときにそのビジターカードを前記自動精算機の本体に回収するカード処理制御手段と、
を有することを特徴とする自動精算機。
【請求項２】
請求項１に記載の自動精算機において、抽出されたデータに基づいて金銭処理ユニットから所定の金額の金銭の払出しは、その抽出されたデータがメンバーカードに係るとき、入力された暗証番号と予め記憶されているそのメンバーカードの暗証番号との照合が一致したときに行われることを特徴とする自動精算機。
【請求項３】
請求項１又は２に記載の自動精算機において、ビジターカードは、自動精算機の本体に設けられているビジターカード挿入口に挿入され、メンバーカードは、その自動精算機の本体に設けられているメンバーカード挿入口に挿入されるものであることを特徴とする自動精算機。
【請求項４】
請求項１〜３のいずれかに記載の自動精算機において、ビジターカード及びメンバーカードは、非接触型ＩＣカードからなることを特徴とする自動精算機。
【発明の詳細な説明】
【技術分野】
【０００１】
本発明は自動精算機に係り、特に、パチンコ店等の遊技場で使用されるビジターカード及びメンバーカードの残額を自動的に払出しできるようにしたものに関する。
【背景技術】
【０００２】
近年、パチンコ店やスロットマシン等の遊技場では、顧客（遊技者）の利便向上を図るとともに、遊技場経営の効率化を図るために磁気券等からなるカードが採用されるようになってきており、そのためのカード処理装置も提案されている（特許文献１，２参照）。  
【０００３】
上記提案に係るカード処理装置は、いずれもカードを積層して収納するカードスタッカと、そのカードスタッカの下部からカードを出入れする繰出機構が設けられている。したがって、カードスタッカ内のカードを繰返し使用することができ、また、そのカードスタッカ内にカードを収納することができる。
【特許文献１】特許第３４９６４２９号公報
【特許文献２】実開平７−４４７１号公報
【発明の開示】
【発明が解決しようとする課題】
【０００４】
上述のように、近年、パチンコ店やスロットマシン等の遊技場では、カードが用いられるようになってきているが、遊技場ではリピータの遊技者（顧客）を確保するために、遊技者にメンバーカードを発行し、そのメンバーカードを所持している遊技者、すなわちメンバーの場合は、例えば、景品の交換率をそのメンバーカードを所持していない新規な遊技者、すなわちビジターよりも高くなるような特別な利益を与えるようにしている。
【０００５】
このように、パチンコ店等の遊技場においてビジターカードやメンバーカードが用いられた場合、これらカードに残額があるときは、その残額を次回の遊技用とすることも可能であるが、カードの残額は、遊技者の希望に応じて精算処理して残額を払出すことが望まれていた。しかも、この払出しに当たっては、係員の手を経ることなく自動的に行われることが望まれていた。
【０００６】
そこで、本発明は、上述の要望に応えるためになされたものであって、その目的は、パチンコ店等の遊技場で使用されるビジターカード及びメンバーカードを自動的に精算処理することのできる自動精算機を提供することにある。
【課題を解決するための手段】
【０００７】
本発明に係る自動精算機は、上記目的を達成するために、請求項１に記載の発明は、自動精算機の本体に挿入されたビジターカードに記録されているカードデータ、又はその自動精算機の本体に挿入されたメンバーカードに記録されているカードデータを読取る読取手段と、前記自動精算機の本体から金銭を払出す金銭処理ユニットと、読取られたカードデータ中から金額に係るデータを抽出する抽出手段と、抽出された金額に係るデータに基づいて前記金銭処理ユニットから所定の金額の金銭を払出す金銭処理ユニット制御手段と、払出された金銭が前記ビジターカードに係るときにそのビジターカードを前記自動精算機の本体に回収するカード処理制御手段と、を有することを特徴としている。
本発明の請求項２に記載の自動精算機は、抽出されたデータに基づいて金銭処理ユニットから所定の金額の金銭の払出しは、その抽出されたデータがメンバーカードに係るとき、入力された暗証番号と予め記憶されているそのメンバーカードの暗証番号との照合が一致したときに行われることを特徴としている。
本発明の請求項３に記載の自動精算機は、ビジターカードは、自動精算機の本体に設けられているビジターカード挿入口に挿入され、メンバーカードは、その自動精算機の本体に設けられているメンバーカード挿入口に挿入されるものであることを特徴としている。  本発明の請求項４に記載の自動精算機は、ビジターカード及びメンバーカードは、非接触型ＩＣカードからなることを特徴としている。
【発明の効果】
【０００８】
本発明の請求項１に記載の自動精算機は、自動精算機の本体に挿入されたビジターカードに記録されているカードデータ、又はその自動精算機の本体に挿入されたメンバーカードに記録されているカードデータを読取る読取手段と、前記自動精算機の本体から金銭を払出す金銭処理ユニットと、読取られたカードデータ中から金額に係るデータを抽出する抽出手段と、抽出された金額に係るデータに基づいて前記金銭処理ユニットから所定の金額の金銭を払出す金銭処理ユニット制御手段と、払出された金銭が前記ビジターカードに係るときにそのビジターカードを前記自動精算機の本体に回収するカード処理制御手段とを有するので、ビジターカード又はメンバーカードに残額があるときは、係員の手を経ることなくその残額を自動的に払出すことができる。
本発明の請求項２に記載の自動精算機は、抽出されたデータに基づいて金銭処理ユニットから所定の金額の金銭の払出しは、その抽出されたデータがメンバーカードに係るとき、入力された暗証番号と予め記憶されているそのメンバーカードの暗証番号との照合が一致したときに行われるので、不正な払出しを効果的に防止することができる。
本発明の請求項３に記載の自動精算機は、ビジターカードは、自動精算機の本体に設けられているビジターカード挿入口に挿入され、メンバーカードは、その自動精算機の本体に設けられているメンバーカード挿入口に挿入されるものであるので、カード挿入口が分かれているからメンバーカードの誤挿入を効果的に防止することができる。
本発明の請求項４に記載の自動精算機は、ビジターカード及びメンバーカードを非接触型ＩＣカードとしたので、記憶容量が大きく、したがって、その大きな記憶データに基づいて効率よく払出し処理を行うことができる。
【発明を実施するための最良の形態】
【０００９】
以下、本発明を実施するための最良の形態を図面に基づいて説明する。図１は、一実施の形態に係る自動精算機の本体（以下、「精算機本体」という。）ａの正面図である。この精算機本体ａの接客面１の上部には、表示・入力部２が設けられている。この表示・入力部２は、遊技者（利用者）に対して精算機本体ａの稼動状態、すななち、精算（払出）中止を案内したり、支払金額を案内したり、あるいは暗証番号の入力案内等の所定の案内を行うとともに、係員（店員）に対して精算機本体ａの運用状態、すなわち、払出金額の不足状態や回収したビジターカードの満杯等の所定の運用状態を報知するための案内部２ａと、メンバーカードＣ2 の遊技者が暗証番号を入力するためのテンキーからなる入力部２ｂとから構成されている。
【００１０】
精算機本体ａの接客面１の中央部には、縦方向に所定の間隔を保ってビジターカードＣ1 を挿入するためのビジターカード挿入口３ａ及びメンバーカードＣ2 を挿入するためのメンバーカード挿入口３ｂがそれぞれ設けられている。これら挿入口３ａ，３ｂは、いずれも水平方向に伸びたスリットにより構成されていて、これらスリットの長さは、ビジターカードＣ1 及びメンバーカードＣ2 の形状に合わせてそれぞれ決められている。すなわち、ビジターカード挿入口３ａのスリットの長さは、メンバーカード挿入口３ｂのスリットの長さのほぼ半分に構成されている。ビジターカードＣ1 及びメンバーカードＣ2 の形状については後述する。
【００１１】
図１中、４は、接客面１のほぼ中央位置に設けられている硬貨を払出すための硬貨払出口であり、また、５は、その硬貨払出口４の下方に設けられている紙幣を払出す紙幣払出口である。さらに、６は、接客面１の中央よりも少し下の位置に設けられた鍵穴であり、係員の所持する図示しない鍵により、接客面１を形成する扉を開けて払出用の金銭の補給や回収したビジターカードＣ2 の取出等の保守点検作業ができるように構成されている。  
【００１２】
上記ビジターカードＣ1 及びメンバーカードＣ2 は、いずれも無線通信機能を備えたＩＣカードからなる非接触券に構成されている。そして、メンバーカードＣ2 の平面形状及びその厚さは、周知の銀行カードや非接触式自動改札システムで用いられている非接触式定期券と同じで、また、ビジターカードＣ2 の厚さは、メンバーカードＣ2 の厚さと同じであるが、その平面形状はメンバーカードＣ2 の長手方向に沿って２分した短冊状に形成されている。具体的には、そのビジターカードＣ1 の平面形状の短辺の長さは例えば２５ｍｍとされている。この短辺の長さは、ビジターカードＣ1 が図示しないパチンコ台等の遊技台の台間部に組込まれているカード処理装置により決められている。
【００１３】
すなわち、このカード処理装置は、本出願人が別途提案しているもので、そのカード処理装置は、台間部に組込まれ、遊技者が遊技代金をその台間部に設けられている紙幣投入口に投入すると、カードスタッカから１枚のビジターカードＣ1 がアンテナ位置まで繰出されるよう構成されている。そして、その繰出されたビジターカードＣ1 にアンテナを介して投入された金額データが書込まれてパチンコやスロットマシン等の所定の遊技が行えるように構成されている。
【００１４】
遊技者による遊技の終了時点において、ビジターカードＣ1 に残額があれば、そのビジターカードＣ1 は、台間部に設けられているビジターカード挿入口に排出されて遊技者に返却されるように構成されている。したがって、遊技者は、その返却を受けたビジターカードＣ1 を用いて他の遊技台で遊技ができ、また、遊技者が希望すれば、本発明に係る自動精算機でビジターカードＣ1 に記録されている残額の払出しを受けることができる。
【００１５】
また、台間部には、メンバーカード挿入口が設けられていて、そのメンバーカード挿入口にメンバーカードＣ2 を挿入することによりそのメンバーカードＣ2 に記録されている残額データ範囲内で遊技を楽しむことができ、その残額が０になったときは、台間部に設けられている紙幣投入口に所定金額の紙幣を投入すればメンバーカードＣ2 に金額を積増することができるように構成されている。そして、このメンバーカードＣ2 も、上述のビジターカードＣ1 と同様に、遊技者が希望すれば、本発明に係る自動精算機でメンバーカードＣ2 に記録されている残額の払出しを受けることができるように構成されている。
【００１６】
図２は、精算機本体ａの内部の概略構成図であって、ビジターカード挿入口３ａの内側には、そのビジターカード挿入口３ａに挿入されたビジターカードＣ1 （図２では省略）を精算機本体ａ内に設けられている回収箱Ｂまで搬送して取込むための図示しないモータにより駆動される搬送路Ｌが設けられている。この搬送路Ｌは、ビジターカードＣ1 を一対のローラで挟持して搬送するローラ群で構成されているが、一対の無端ベルトを対設して構成することもできる。そして、この搬送路Ｌの途中には、その搬送路Ｌに接近してアンテＡ1 が設けられている。
【００１７】
この搬送路Ｌの近傍には、図示しないが、光電センサ等の周知のセンサが設けられていて、ビジターカード挿入口３ａに挿入されたビジターカードＣ1 を検出し、その挿入されたビジターカードＣ1 がアンテナＡ1 の所定位置に接近したことを検出し、さらに、ビジターカードＣ1 が回収箱Ｂに回収されたことを検出できるように構成されている。上記回収箱Ｂは、搬送路Ｌで搬送されてくるビジターカードＣ1 を単に受入れる上部開口の箱体とすることができる他、回収したビジターカードＣ1 の取扱いを容易にするために、積層して回収できるようにすることもできる。この場合は、箱体の上部開口は、ビジターカードＣ1 の平面形状よりも少し大きい開口とされる。また、この搬送路Ｌは、一旦、精算機本体ａ内に取込んだビジターカードＣ1 をビジターカード挿入口３ａに排出できる機能も有している。したがって、払出しの対象とされない他店のビジターカード等の媒体がビジターカード挿入口３ａに挿入されたときは、その媒体を精算機本体ａ内に取込むことなく返却することができる。
【００１８】
メンバーカード挿入口３ｂの内側には、メンバーカードＣ2 の大部分を挿入できる空間部３ｃが設けられている。すなわち、この空間部３ｃは、メンバーカード挿入口３ｂからメンバーカードＣ2 を空間部３ｃの奥まで挿入したときにそのメンバーカードＣ2 の一部が接客面１から突出するように決められていて、メンバーカードＣ2 の出入れが容易にできるように工夫されている。そして、この空間部３ｂの近傍には、アンテナＡ2 が設けられている。なお、このメンバーカード挿入口３ｂの内側にも、ビジターカード挿入口３ａの内側に設けられていると同様の図示しないモータによって駆動される搬送路を設けてメンバーカードＣ2 を精算機本体ａ内に完全に取込んで処理するようにしてもよい。この場合、搬送路は、メンバーカード挿入口３ｂから挿入されたメンバーカードＣ2 をアンテナＡ2 に対向する位置まで取込んだ後に、再びそのメンバーカードＣ2 をメンバーカード挿入口３ｂに搬送して返却される。
【００１９】
図２中、７は、硬貨処理部であって、本発明の金銭処理ユニットの一部を構成している。この硬貨処理部７は、ここでは、後述する制御器の制御の下に５００円硬貨を所定枚数、シュータ７ａを介して硬貨払出口４に排出できるように構成されている。この硬貨処理部７としては、各種自動販売機に組込まれていると同様の硬貨処理部が用いられている。例えば、５００円硬貨１枚が挿入できる目皿を回転させ、その目皿が排出口と一致したときに１枚の５００円硬貨を排出するもの、あるいは５００円硬貨の積層されているコインスタッカの底部から１枚の５００円硬貨を押出して排出するものなどの各種方式の硬貨処理部を採用することができる。
【００２０】
なお、上述の例では、遊技台の一遊技料金の単位を５００円とし、また、台間部に設けられる紙幣投入口から投入される金銭は、千円、２千円、５千円及び１万円の紙幣のみとしているので、ビジターカードＣ1 及びメンバーカードＣ2 の残額は５００円単位となるため、硬貨払出口４に排出される硬貨は５００円硬貨のみとしたが、遊技台の料金の単位が１００円や５０円等のときは、精算機本体ａ内には、その遊技台の一遊技料金単位に対応した１００円硬貨等の硬貨処理部も用意される。
【００２１】
図２中、８は、本発明の金銭処理ユニットの一部を示す紙幣処理部であって、ここでは、千円札をローラ群で構成される搬送路８ａを介して紙幣払出口５へ排出できるように構成されている。もちろん、紙幣処理部８としては、５千円札及び２千円札も排出できるようにして排出枚数を減らすことができるが、単一の紙幣処理部としたときは、低コストに実現することができる。この紙幣処理部８としては、各種自動販売機に組込まれていると同様の紙幣処理部が用いられている。例えば、後述する制御器の制御の下に紙幣スタッカから１枚ずつ千円札を繰出して排出する方式が採用される。
【００２２】
図２中、９は制御器であって、精算機本体ａを統括的に制御するように構成されている。図３には、この制御器９及び上記両カードＣ1 ，Ｃ2 の電気的構成を示すブロック図が示されている。先ず、制御器９側から説明すると、この制御器９は、ＲＯＭ１０に格納されているシステムプログラムデータ及びＲＡＭ１１に格納されているワーキングデータを用いて所定の演算処理を行う中央処理部（ＣＰＵ）１２を有している。
【００２３】
上記ＣＰＵ１２は、Ｉ／Ｏユニット１３を介して表示・入力部２を駆動制御する表示・入力ドライバ１４と、搬送路Ｌを駆動制御する搬送ドライバ１５と、硬貨処理部７を駆動制御する硬貨処理ドライバ１６と、紙幣処理部８を駆動制御する紙幣処理ドライバ１７と、上記アンテナＡ1 ，Ａ2 を接続しているリーダライタ１８と、ホストコンピュータからなる事務室等の所定の中央に設けられている図示しない上位装置側と通信を行うための通信制御部１９を接続している。上記リーダライタ１８は、各カードＣ1 ，Ｃ2 に記録されているカードＩＤや金額データ等の所定のカードデータを読取るとともに、各カードＣ1 ，Ｃ2 に対して新たなカードデータを記録（書込み）し、さらに、各カードＣ1 ，Ｃ2 に対して電力波を供給できるように構成されている。また、このリーダライタ１８は、２つのアンテナＡ1 ，Ａ2 を接続しているが、リーダライタは、各アンテナＡ1 ，Ａ2 毎に有するようにしてもよい。なお、上記Ｉ／Ｏユニット１３には、搬送路Ｌ中の搬送位置を検出するためのセンサドライバ等も接続されているが、ここでは省略されている。
【００２４】
ビジターカードＣ1 及びメンバーカードＣ2 の電気的構成は同じなので、ビジターカードＣ1 を例に説明すると、ビジターカードＣ1 は、周知の無線通信機能を有するＩＣカードと同様に構成されている。すなわち、このビジターカードＣ1 は、制御器９側とアンテナ２０を介して通信を行う通信制御部２１と、所定の演算処理を行うＣＰＵ２２と、カードＩＤ、金額データ及び所定のプログラムデータ等のカードデータを記録するメモリ２３と、アンテナＡ1 側から電力波を受けてビジターカードＣ1 の駆動電源を生成する電力生成回路２４とを含んで構成されている。
【００２５】
以下、図４のフローチャートを用いて制御動作について説明する。今、あるビジターの遊技者が遊技を終了し、台間部から返却を受けたビジターカードＣ1 の払出しを受けようとしているものとする。そして、その遊技者によってビジターカード挿入口３ａにビジターカードＣ1 が挿入されたとする（ステップ１００肯定、ステップ１０２肯定。以下、ステップを「Ｓ」とする。）。その挿入されたビジターカードＣ1 が搬送路Ｌを介してアンテナＡ1 に対向する位置まで搬送されると、搬送が停止されてそのアンテナＡ1 を介してカードデータの読取りが開始される（Ｓ１０４）。
【００２６】
ビジターカードＣ1 から読取られたカードデータを基にした制御器９（ＣＰＵ２２）による演算処理の結果、そのビジターカードＣ1 が真正なものと判定されたときは（Ｓ１０６肯定）、カードデータ中の金額データに相当する金銭が金銭処理ユニット（硬貨処理部７，紙幣処理部８）を介して払出処理（返金処理）が行われる。そして、そのビジターカードＣ1 には、アンテナＡ1 を介して金額データが０に書込まれた後、搬送路Ｌを介して回収箱Ｂに回収される（Ｓ１０８）。回収されたビジターカードＣ1 は、後に、台間部に設けられているカード処理装置にセットされて再使用される。
【００２７】
ビジターカードＣ1 から読取られたカードデータを基にした演算処理の結果、そのビジターカードＣ1 が他店のものであったり、あるいはカードデータが改竄されたような不正なビジターカードの場合（Ｓ１０６否定）、搬送路Ｌ1 の逆搬送により挿入されたビジターカードＣ1 は、ビジターカード挿入口３ａに排出されて返却されるとともに、表示・入力部２の表示部２ａに払出しができない旨が案内される（Ｓ１１０）。
【００２８】
メンバーカードＣ2 を所持している遊技者が遊技を終了して払出しを受けるときは、メンバーカードＣ2 がメンバーカード挿入口３ｂに挿入される（Ｓ１０２否定）。そして、図示しないセンサにより所定位置までメンバーカードＣ2 が挿入されたことが検出されると、アンテナＡ2 を介してメンバーカードＣ2 に記録されているカードデータの読取が行われる（Ｓ１１０）。読取られたカードデータを基にしたＣＰＵ１２の所定の演算処理の結果、払出しの対象となる真正なメンバーカードＣ2 であり、かつ、そのメンバーカードＣ2 から読取られたカードデータ中に残額が含まれていれば、表示部２ａに暗証番号の入力案内が行われる（Ｓ１１２肯定）。
【００２９】
そして、遊技者によりメンバーカードＣ2 の発行時に割当てられている所定の暗証番号がテンキーからなる入力部２ｂから入力されると（Ｓ１１４）、その入力された暗証番号は、通信制御部１９を介して上位装置に送出されてその上位装置に記憶されている暗証番号と照合処理が行われる。この照合処理の結果、照合一致が得られたときは（Ｓ１１６肯定）、メンバーカードＣ2 とそのメンバーカードＣ2 の所持者とが一致すると判定されて、カードデータ中に含まれている金額データに相当する金銭が金銭処理ユニット（硬貨処理部７，紙幣処理部８）を介して払出されるとともに、アンテナＡ2 を介してメンバーカードＣ2 の金額が０に書換えられる。その書換え後、表示部２ａにメンバーカードＣ2 の返却案内が行われてメンバーカードＣ2 の返却が行われる（Ｓ１１８）。なお、メンバーカードＣ2 の払出しに当たっては、次回の遊技のために、メンバーカードＣ2 に所定金額を残して払出しを受けるようにすることもできる。この場合は、テンキーからなる入力部２ｂから今回払出しを受ける金額が入力される。
【００３０】
図４のフローチャートでは省略されているが、挿入されたメンバーカードが真正なメンバーカードＣ2 と判定された場合であっても、メンバーカードＣ2 に払出し可能な金額（この例では５００円以上）以上の金額が記録されていないときは、暗証番号の入力を行うことなく払出しができない旨が表示部２ａに表示されて案内される。
【００３１】
メンバーカードＣ2 に記録されているカードデータを基にした演算処理の結果、メンバーカードＣ2 が他店のものであったり、又はデータが改竄されているような場合は、当然に払出しはできないので、表示部２ａを介して払出しができない旨が案内されるとともに、上述の入力された暗証番号の照合一致が得られないときも、払出しを受けようとしている遊技者は他人のメンバーカードＣ2 を用いている可能性が高いので、この場合も、表示部２ａを介して払出しができない旨が案内される。なお、上述の例では、暗証番号の照合処理は、上位装置で行ったが、通信制御部１９を介して上位装置から暗証番号を入手してＣＰＵ１２において行うようにしてもよい。
【００３２】
なお、上述の例では、精算機本体ａの接客面１にビジターカード挿入口３ａ及びメンバーカード挿入口３ｂの２つのカード挿入口を設けたが、挿入口をメンバーカードＣ2 の挿入できる大きさとして一つのカード挿入口とすることもできる。この場合は、精算機本体ａ内に組込まれるアンテナを簡素化することが可能となる。しかし、上述のように、２つのカード挿入口としたときは、ビジターカード挿入口３ａへのメンバーカードＣ2 の誤挿入を防止することができる。
【図面の簡単な説明】
【００３３】
【図１】本発明の一実施の形態に係る精算機本体の正面図である。
【図２】精算機本体の内部の概略構成図である。
【図３】制御器、ビジターカード及びメンバーカードの電気的構成を示すブロック図である。
【図４】制御動作を示すフローチャートである。
【符号の説明】
【００３４】
Ｃ1   ビジターカード
Ｃ2   メンバーカード
ａ  自動精算機の本体（精算機本体）
１  接客面
２  表示・入力部
２ａ  表示部
２ｂ  入力部
３ａ  ビジターカード挿入口
３ｂ  メンバーカード挿入口
４  硬貨払出口
５  紙幣払出口
６  鍵穴
７  硬貨処理部（金銭処理ユニット）
８  紙幣処理部（金銭処理ユニット）
９  制御器
【図１】
2005319085.tif 000003
【図２】
2005319085.tif 000004
【図３】
2005319085.tif 000005
【図４】
2005319085.tif 000006